(57)【要約】【課題】  検出条件に該当する貯玉（メダル）の登録を監視し、検出条件に該当した会員カードを使用した貯玉（メダル）の登録を以後禁止し、権限者にて禁止を解除する遊技システムを提供する【解決手段】  管理装置（ＴＣ）１００は、玉計数機２００からの命令により貯玉数等をデータベース（ＤＢ）１０３の貯玉履歴データ１０６に登録する。このとき、ＴＣ記憶部１１１に記憶した不正貯玉検出条件１１２に該当する貯玉処理である場合、会員カード管理テーブル１０５にて管理されるカード使用可否フラグを使用禁止状態に変更する。管理装置（ＴＣ）１００は、権限者の操作によって会員カード管理テーブル１０５にアクセスして、カード使用可否フラグの使用禁止解除、もしくは、使用禁止の手動による切り替え設定を会員別に処理する。【選択図】  図２
2006167029.tif 000002
【特許請求の範囲】
【請求項１】
口座を有する遊技者が獲得した遊技媒体を預遊技媒体として自己の口座に登録するとともに、自己の口座から預遊技媒体を引き出して遊技者若しくは景品交換に使用することができる遊技システムにおいて、
前記預遊技媒体の不正登録条件を予め設定する不正登録条件設定手段と、
前記預遊技媒体の登録に際して、前記不正登録条件設定手段で設定された不正登録条件に該当するか否かを判定する判定手段と、
前記判定手段により前記不正登録条件に該当すると判定された場合は、該預遊技媒体の登録を禁止する禁止手段と
を具備することを特徴とする遊技システム。
【請求項２】
前記預遊技媒体の登録は、
記録媒体読み取り手段にて読み取られる会員カードの識別情報に対応づけて行われ、
前記禁止手段は、
前記判定手段により前記不正登録条件に該当すると判定された前記預遊技媒体の登録の際に前記記録媒体読み取り手段にて読み取られた前記会員カードの識別情報に対応づけた前記預遊技媒体の登録を禁止する
ことを特徴とする請求項１記載の遊技システム。
【請求項３】
前記不正登録条件設定手段は、
前記預遊技媒体の登録に際して、１回の登録遊技媒体数が予め設定した数以下である場合を前記不正登録条件として設定する
ことを特徴とする請求項１または２記載の遊技システム。
【請求項４】
前記不正登録条件設定手段は、
前記預遊技媒体の登録に際して、同じ口座への１日の登録回数が予め設定した回数に達した場合を前記不正登録条件として設定する
ことを特徴とする請求項１または２記載の遊技システム。
【請求項５】
前記不正登録条件設定手段は、
前記預遊技媒体の登録に際して、１回の登録遊技媒体数が予め設定した数以下である同じ口座への１日の登録回数が予め設定した回数に達した場合を前記不正登録条件として設定する
ことを特徴とする請求項１または２記載の遊技システム。
【請求項６】
前記不正登録条件設定手段は、
前記預遊技媒体の登録に際して、１日の投資金額が予め設定した金額以下である場合を前記不正登録条件として設定する
ことを特徴とする請求項１または２記載の遊技システム。
【請求項７】
前記不正登録条件設定手段は、
前記預遊技媒体の登録に際して、
１回の登録遊技媒体数が予め設定した数以下である第１の条件
同じ口座への１日の登録回数が予め設定した回数に達した第２の条件
１回の登録遊技媒体数が予め設定した数以下である同じ口座への１日の登録回数が予め設定した回数に達した第３の条件
前記預遊技媒体の登録に際しての１日の投資金額が予め設定した金額以下である第４の条件
の少なくとも２つの条件を前記不正登録条件として設定する
ことを特徴とする請求項１または２記載の遊技システム。
【請求項８】
前記禁止手段による前記預遊技媒体の登録の禁止状態を特定の操作により解除する解除手段
を更に具備することを特徴とする請求項１または２記載の遊技システム。
【発明の詳細な説明】
【技術分野】
【０００１】
本発明はパチンコ台、パチスロ機等の遊技台を設置したパチンコホールにおいて、口座を有する遊技者が獲得した遊技媒体を預遊技媒体として自己の口座に登録し（以後、「貯玉」、「貯メダル」と称す）、預遊技媒体の不正登録条件を予め設定し、預遊技媒体の登録に際して、設定された不正登録条件に該当すると判定した場合、預遊技媒体の登録を禁止し、また、この禁止の解除は、特別な権限者（例えば、オーナー、店長）のみが操作可能とする遊技システムに関する。
【背景技術】
【０００２】
パチンコホールでは、会員データ、遊技台の稼動データ、景品交換の実績データ、会員の投資データ等をデータベースに登録して管理する遊技システムを導入して日々の営業、経営管理を行っている。
【０００３】
最近では、特許文献１に記載の「遊技システムにおける貯玉管理装置」等にて開示されている貯玉（メダル）といった新たな遊技形態を遊技システムに取り入れて営業するパチンコホールが増えている。
【０００４】
また、遊技形態の多様化に伴うセキュリティ対策として、パチンコホールには、遊技媒体の計数装置における計数操作を監視カメラにて撮像して録画し、不正行為を行っていないかどうかをモニタ映像、あるいは、再生した録画映像にてチェックする特許文献２に記載の「遊技媒体計数機の不正監視装置」等が導入されている。
【特許文献１】特開平０７−５１４５８号公報。
【特許文献２】特開平１１−１２８５２１号公報。
【発明の開示】
【発明が解決しようとする課題】
【０００５】
ところで、上記特許文献１にて開示された貯玉（メダル）といった遊技形態を提供する遊技システムの導入に伴い、パチンコホールの店員等が不正に貯玉（メダル）を行うといった問題が発生している。
【０００６】
本来、パチンコホールに散乱したパチンコ玉、パチスロ用メダルは、従業員が「こぼれ玉（メダル）」等と称した特別な処理をすることになっている。
【０００７】
しかし、店員の会員カード、あるいは、店員と共謀した遊技客の会員カードを使用して、このこぼれ玉（メダル）を貯玉（メダル）の登録操作を行う等の不正行為が発生している。
【０００８】
ホール経営者は、上記特許文献２にて開示されたような監視装置によってこのような不正行為を検出することは可能であるが、監視映像のなかには、貯玉（メダル）が不正であるか否かを識別しずらい映像もあり、不正操作を的確に判断して即時に発見して対処するには十分でない。
【０００９】
よって、本発明は、貯玉（メダル）の登録データから不正行為を検出する不正登録条件にてシステム監視を行い、不正登録条件に該当する貯玉（メダル）の登録処理に使用された会員カードによる貯玉（メダル）の登録を以後禁止する設定を行い、該禁止した設定の解除操作は、特定の操作にて可能とする遊技システムの提供を目的とする。
【課題を解決するための手段】
【００１０】
上記目的を達成するために、請求項１の発明は、口座を有する遊技者が獲得した遊技媒体を預遊技媒体として自己の口座に登録するとともに、自己の口座から預遊技媒体を引き出して遊技者若しくは景品交換に使用することができる遊技システムにおいて、預遊技媒体の不正登録条件を予め設定する不正登録条件設定手段と、預遊技媒体の登録に際して、不正登録条件設定手段で設定された不正登録条件に該当するか否かを判定する判定手段と、判定手段により不正登録条件に該当すると判定された場合は、該預遊技媒体の登録を禁止する禁止手段とを具備することを特徴とする。
【００１１】
また、請求項２の発明は、請求項１の発明において、預遊技媒体の登録は、記録媒体読み取り手段にて読み取られる会員カードの識別情報に対応づけて行われ、禁止手段は、判定手段により不正登録条件に該当すると判定された預遊技媒体の登録の際に記録媒体読み取り手段にて読み取られた会員カードの識別情報に対応づけた預遊技媒体の登録を禁止することを特徴とする。
【００１２】
また、請求項３の発明は、請求項１または２の発明において、不正登録条件設定手段は、預遊技媒体の登録に際して、１回の登録遊技媒体数が予め設定した数以下である場合を不正登録条件として設定することを特徴とする。
【００１３】
また、請求項４の発明は、請求項１または２の発明において、不正登録条件設定手段は、預遊技媒体の登録に際して、同じ口座への１日の登録回数が予め設定した回数に達した場合を不正登録条件として設定することを特徴とする。
【００１４】
また、請求項５の発明は、請求項１または２の発明において、不正登録条件設定手段は、預遊技媒体の登録に際して、１回の登録遊技媒体数が予め設定した数以下である同じ口座への１日の登録回数が予め設定した回数に達した場合を不正登録条件として設定することを特徴とする。
【００１５】
請求項６の発明は、請求項１または２の発明において、不正登録条件設定手段は、預遊技媒体の登録に際して、１日の投資金額が予め設定した金額以下である場合を不正登録条件として設定することを特徴とする。
【００１６】
また、請求項７の発明は、請求項１または２の発明において、不正登録条件設定手段は、預遊技媒体の登録に際して、１回の登録遊技媒体数が予め設定した数以下である第１の条件、同じ口座への１日の登録回数が予め設定した回数に達した第２の条件、１回の登録遊技媒体数が予め設定した数以下である同じ口座への１日の登録回数が予め設定した回数に達した第３の条件、預遊技媒体の登録に際しての１日の投資金額が予め設定した金額以下である第４の条件の少なくとも２つの条件を不正登録条件として設定することを特徴とする。
【００１７】
また、請求項８の発明は、請求項１または２の発明において、禁止手段による預遊技媒体の登録の禁止状態を特定の操作により解除する解除手段を更に具備することを特徴とする。
【発明の効果】
【００１８】
本発明の遊技システムによれば、過去の不正登録のパターンに基づいて設定、調整される不正登録条件にて貯玉（メダル）の登録データをシステム監視し、不正登録条件に該当した場合は、ただちに以後の貯玉（メダル）の登録がロックされるので、貯玉（メダル）が不正に登録される被害を最小限に抑えることができる。
【００１９】
また、ロックの解除は、特定者が行うので不正が行いにくくなるとともに、特定者が管理を行いやすくなる。
【発明を実施するための最良の形態】
【００２０】
本発明の遊技システムの実施例について添付図面を参照しながら説明する。
【００２１】
図１は、本発明に係わる遊技システムの全体構成を示すブロック図である。
【００２２】
図１の遊技システムは、パチンコ台５１、パチスロ機６１等の遊技台が設置されるパチスロ島６０、パチンコ島５０において、遊技台毎に設置される装置によるパチンコ玉、パチスロ用メダル等の遊技媒体の貸し出し処理、玉計数機２００あるいはメダル計数機３００による遊技者が獲得した遊技媒体の計数処理、景品管理装置９０に接続されたバーコードスキャナ９１、景品自動払出し機９２、会員カード処理装置４００の操作による計数した遊技媒体の数に応じた景品への交換処理を行う。
【００２３】
管理装置（ＴＣ）１００は、会員カード発行機１０１にて会員カード１０２を発行し、会員登録を行った遊技客の個人情報、カード情報等の会員情報を管理装置（ＴＣ）１００にてアクセス可能なデータベース（ＤＢ）１０３に登録して管理する。
【００２４】
また、管理装置（ＴＣ）１００は、パチンコ島５０、パチスロ島６０に設置した各島コントローラ７０から送られる各遊技台の稼動情報、台間機から送られてくる売上情報、遊技客の投資情報等を、データベース（ＤＢ）１０３に記録して管理する。
【００２５】
会員カード１０２には、カード種別を示す識別コード、スタートコード、エンドコード、会員コード、カード番号、店コード、シークレットコード等が、カードデータとして磁気記録される。
【００２６】
玉計数機２００、メダル計数機３００は、遊技者がパチンコ台５１、パチスロ機６１を遊技して獲得したパチンコ玉、パチスロ用メダルを計数し、計数した遊技媒体のうち景品と交換する遊技媒体の数を含む情報をレシート等の記録媒体に記録して発行する機能と、会員カード１０２を使用した所定の操作によって計数した遊技媒体のうち景品と交換しない数の遊技媒体を登録する機能を有する。
【００２７】
また、再プレイ玉貸機５２、再プレイメダル貸機６２は、貯玉、貯メダルの登録により預け入れた遊技媒体を、会員カード１０２を使用した所定の操作によって引き出しを行い、引き出した遊技媒体の再貸出を行う機能を有する。
【００２８】
管理装置（ＴＣ）１００は、玉計数機２００、会員カード処理装置４００を併設したメダル計数機３００による貯玉、貯メダルの登録情報、再プレイ玉貸機５２、再プレイメダル貸機６２による貯玉、貯メダルした遊技媒体の引き出し情報をデータベース（ＤＢ）１０３に記録して管理する。
【００２９】
さらに、管理装置（ＴＣ）１００は、貯玉、貯メダルの不正登録を監視する検出条件を設定、調整する手段を有し、貯玉（メダル）をデータベース（ＤＢ）１０３に登録する際に、設定した検出条件に該当する貯玉（メダル）の登録を検出した場合、登録操作に使用された会員カード１０２を用いた以後の貯玉（メダル）の登録を禁止する情報をデータベース（ＤＢ）１０３に設定する。
【００３０】
また、管理装置（ＴＣ）１００は、貯玉（メダル）の登録を禁止にした設定の解除を、特別な権限で操作可能な管理画面に処理する機能を有する。
【００３１】
なお、本発明の遊技システムは、遊技媒体の貸し出し、遊技台における遊技、遊技媒体の計数処理、景品の交換処理は、会員カード１０２を使用した操作にて処理されることを前提として説明する。
【００３２】
本発明の遊技システムにおける貯玉登録処理、貯メダル登録処理についてそれぞれ説明する。
【実施例１】
【００３３】
図２は、図１に示した遊技システムにおいて貯玉の登録処理に関連する装置の内部構成を示したブロック図である。
【００３４】
図２に示すように、貯玉登録処理は、データベース（ＤＢ）１０３にアクセス可能な管理装置（ＴＣ）１００と、管理装置（ＴＣ）１００にネットワーク８０を介して接続される玉計数機２００とによって処理される。
【００３５】
管理装置（ＴＣ）１００は、管理装置（ＴＣ）１００全体を統括して制御するＴＣ制御部１１０に、ＴＣ記憶部１１１、ＴＣ通信制御部１１４、ＴＣ操作部１１５、ＴＣ表示処理部１１６、ＤＢ管理部１１７がそれぞれ接続して構成される。
【００３６】
ＴＣ記憶部１１１は、ＴＣ制御部１１０にて実行される遊技システムの各種制御プログラムおよび制御パラメータ等を記憶する不揮発性の記憶装置、および、一時的なデータを記憶するメモリ等によって構成される。
【００３７】
また、ＴＣ記憶部１１１は、貯玉を不正に登録することを検出するための不正貯玉操作検出条件１１２を記憶する。
【００３８】
ＴＣ通信制御部１１４は、ネットワーク８０を介して接続される、メダル計数機３００、玉計数機２００、パチンコ台５１、パチスロ機６１、再プレイ玉貸機５２、再プレイメダル貸機６２等それぞれの間におけるデータの送受信を制御する。
【００３９】
ＴＣ操作部１１５は、キーボード、マウス等の入力装置を含み、入力操作を検出してＴＣ制御部１１０に通知する。
【００４０】
ＴＣ表示処理部１１６は、管理端末の表示装置に対して、ＴＣ制御部１１０からの指示に基づいて各種管理画面の表示制御を行う。
【００４１】
ＤＢ管理部１１７は、ＴＣ制御部１１０からの指示に基づいて、データベース（ＤＢ）１０３に対する各種テーブル、各種履歴情報等の生成を行い、各テーブル、履歴情報に対するレコードの参照、登録、更新、削除等のアクセス制御を行う。
【００４２】
データベース（ＤＢ）１０３は、本発明の遊技システムを始め、パチンコホールに導入された各システムにてアクセス可能な共有データを記録して一元管理し、例えば、会員管理テーブル１０４、会員カード管理テーブル１０５、貯玉履歴データ１０６、遊技履歴データ１０７等を記憶して管理する。
【００４３】
なお、データベース（ＤＢ）１０３は、管理装置（ＴＣ）１００内の記憶手段に生成されて、ＤＢ管理部１１７が直接してアクセスする構成、あるいは、管理装置（ＴＣ）１００以外の装置の記憶手段に生成されて、ＤＢ管理部１１７がネットワーク８０経由でアクセスする構成のいずれでもよい。
【００４４】
玉計数機２００は、玉計数機制御部２１０、玉計数機計数処理部２１１、玉計数機記憶部２１２、玉計数機レシート発行部２１３、玉計数機会員カード処理部２１４、玉計数機表示処理部２１５、玉計数機操作部２１６、玉計数機通信制御部２１７を具備して構成される。
【００４５】
玉計数機制御部２１０は、玉計数機記憶部２１２に記憶した制御プログラムを実行し、接続する玉計数機計数処理部２１１、玉計数機レシート発行部２１３、玉計数機会員カード処理部２１４、玉計数機表示制御部２１５をそれぞれ制御して玉計数機２００におけるパチンコ玉の計数、計数結果を印字したレシートの発行、計数したパチンコ玉のうち景品に交換しない数に対して貯玉の登録処理を行う。
【００４６】
玉計数機表示処理部２１５は、パチンコ玉の計数総数、貯玉登録処理にて預け入れが指示された貯玉数、管理装置（ＴＣ）１００にて再計算された貯玉の総数、会員カード１０２の挿入、抜き取りを指示する操作案内等の表示制御を、例えば、図３の外観構成図に示す玉計数機表示部２０７に対して行う。
【００４７】
玉計数機操作部２１６は、例えば、図３の外観構成図に示す、計数したパチンコ玉の数に対して貯玉するパチンコ玉数（処理数）の指定方法を選択して指示する玉計数機貯玉処理ボタン２０１（全数ボタン、端数返却ボタン、端数貯玉ボタン、取消ボタン）を含み、玉計数、貯玉に関する入力操作を検出して玉計数機制御部２１０に通知する。
【００４８】
玉計数機計数処理部２１１は、例えば、図３の玉計数機の外観構成図に示すようなホッパー２０８に流したパチンコ玉の数をフォトセンサ、磁気センサ等で計数し、計数した結果を玉計数機制御部２１０に通知する。
【００４９】
玉計数機通信制御部２１７は、ネットワーク８０を介して接続される管理装置（ＴＣ）１００との間におけるデータ送受を制御する。
【００５０】
玉計数機会員カード処理部２１４は、例えば、図３の外観構成図に示す、会員カード挿入口２０５から挿入される会員カード１０２に記録された磁気データの読み取り処理を行い、読み取り結果を玉計数機制御部２１０に出力し、玉計数機制御部２１０からの制御データに基づいて会員カード１０２の排出、貯留等の搬送制御を行う。
【００５１】
玉計数機レシート発行部２１３は、玉計数機制御部２１０からの制御データに基づいて指定された印刷内容を所定のレシートに印刷し、図３の外観構成図に示すようなレシート発行口２０３に排出する。
【００５２】
次に、管理装置（ＴＣ）１００のＴＣ記憶部１１１に記憶して管理される不正貯玉検出条件１１２について説明する。
【００５３】
図４は、不正貯玉検出条件１１２の設定内容の例を示す図である。
【００５４】
不正貯玉検出条件１１２には、例えば、１回の貯玉数が「貯玉数」の設定値以下である場合に不正とみなす第１の条件、１日の貯玉回数が「貯玉回数」に設定した回数に達した場合に不正とみなす第２の条件、また、第１の条件と第２の条件の組合せを行った、１回の貯玉数が「貯玉数」に設定した数以下である１日の貯玉回数が「貯玉回数」設定した回数に達したときに不正とみなす第３の条件、貯玉に際しての１日の投資金額が「投資額」に設定した金額以下である場合に不正とみなす第４の条件が設定される。
【００５５】
また、不正貯玉検出条件１１２は、さらに、第１から第４に掲げた複数の条件のいずれかに該当した場合、不正と判断する論理和的な設定、あるいは、全ての条件に該当した場合に不正と判断する論理積的な取扱いを行う設定を行うようにしてもよい。
【００５６】
また、不正貯玉検出条件１１２に設定される「監視制御実施フラグ」は、不正貯玉検出条件１１２に該当する貯玉の監視制御を遊技システムにて実施するか否かを判断するためのフラグであり、このフラグが有効な場合、遊技システムは、不正貯玉検出条件１１２に基づいて貯玉の不正登録の監視を行う。
【００５７】
また、不正貯玉検出条件１１２は、管理装置（ＴＣ）１００の表示部に表示される図５に示すような設定画面の操作によって設定条件の調整が行われる。
【００５８】
なお、不正貯玉検出条件１１２の内容および、不正貯玉検出条件１１２に該当する貯玉であるかを判別する方法は、貯玉の不正登録が検出できるものであればよく、図４の設定内容、図５の操作画面に限定されない。
【００５９】
次に、図２に示したデータベース（ＤＢ）１０３に記憶して管理される会員管理テーブル１０４、会員カード管理テーブル１０５、貯玉履歴データ１０６、遊技履歴データ１０７についてそれぞれ説明する。
【００６０】
図６は、会員管理テーブル１０４にて管理する項目および登録内容の一例を示す図である。
【００６１】
会員管理テーブル１０４は、会員登録を行った遊技客の個人情報を、会員コード等の識別情報を付与して登録管理するテーブルである。
【００６２】
会員管理テーブル１０４に登録して管理される情報は、例えば、会員コード、入会日、氏名、住所などの個人情報、現在の総貯玉数、不正貯玉検出条件１１２にて検出された貯玉の検出回数、来店回数、来店ポイント等がある。
【００６３】
図７は、会員カード管理テーブル１０５にて管理する項目および登録内容の一例を示す図である。
【００６４】
会員カード管理テーブル１０５は、会員登録を行った遊技客に発行した会員カード１０２に関する情報を、会員管理テーブル１０４の会員コードに対応付けて登録管理し、特に、現在の会員カード１０２が使用可能か否かの状態を示す「カード使用可否フラグ」を記録して管理する。
【００６５】
また、「カード使用可否フラグ」は、特別に許可されたアクセス権によってのみ更新可能である。
【００６６】
図８は、遊技履歴データ１０７に記録されるデータ項目と記録内容の一例を示す図である。
【００６７】
遊技履歴データ１０７は、各パチンコ台５１から送信されるパチンコ玉のイン、アウト数、パチンコ台５１にて遊技を行った会員の遊技時間等を含んだ遊技データ、各パチンコ台５１の台間機（図示せす）から送信される会員毎に貸し出しを行った遊技媒体の数もしくは、貸し出した数に相当する投入貨幣の金額情報、貸し出し時刻等を通知する稼動データを、島コントローラ７０、ネットワーク８０を介して管理装置（ＴＣ）１００が受信して、順次データベース（ＤＢ）１０３に記録する履歴データである。
【００６８】
遊技履歴データ１０７に記録された各履歴データを、タイムスタンプ、会員コード等の所定の条件で検索し、検索した履歴データの値を適宜集計することによって、例えば、ある会員の一日のある時点までの投資額、遊技台の遊技にて獲得した遊技媒体の数等を取得することができる。
【００６９】
図９は、貯玉履歴データ１０６に記録されるデータ項目と記録内容の一例を示す図である。
【００７０】
貯玉履歴データ１０６は、玉計数機２００から受信した貯玉数、カードデータ等を含む貯玉の登録に関するデータと、再プレイ玉貸機５２から受信した引き落としが行われた貯玉数、カードデータ等を含む貯玉の引き落としに関するデータが、管理装置（ＴＣ）１００によってデータベース（ＤＢ）１０３に登録される履歴データである。
【００７１】
貯玉履歴データ１０６には、「会員コード」、「処理数」「装置番号」、「タイムスタンプ」が記録される。
【００７２】
貯玉履歴データ１０６によれば、会員の一回の貯玉数、再プレイ時に再貸し出しを行った玉数、一日のある時点までにおける貯玉の登録回数、貯玉の登録が禁止された日時、禁止が解除された日時を特定することができる。
【００７３】
また、「処理種別」に再プレイが設定されたレコードを検索することで、再プレイ玉貸機５２による貯玉の引き落とし数や日時等を特定することができる。
【００７４】
図６から図９に示した内容は、あくまでも一例であるため、図６と図７をひとつにまとめる、あるいは、図９の項目や履歴として残す内容（貯玉、再プレイ、登録の禁止と解除など）をさらに分割して管理する構成にしてもよい。
【００７５】
次に、本発明の遊技システムにおける貯玉登録処理の動作について、管理装置（ＴＣ）１００、玉計数機２００それぞれのフローチャートに示して説明する。
【００７６】
図１０は、玉計数機２００における貯玉登録処理の動作例を示すフローチャートである。
【００７７】
玉計数機２００は、玉計数機計数処理部２１１にてパチンコ玉の計数処理を行い（Ｓ１０１）、会員カード１０２の挿入操作を監視する（Ｓ１０２でＮＯ）。
【００７８】
玉計数機会員カード処理部２１４は、玉計数機会員カード挿入口２０５における会員カード１０２の挿入操作を検出すると（Ｓ１０２でＹＥＳ）、挿入された会員カード１０２に記録されたカードデータを読み取って、カード種別、店コード、販社コード等のチェック、カードデータの喪失チェック等を行う。
【００７９】
カードデータの読み取りチェック結果を通知する制御データを玉計数機会員カード処理部２１４から受信すると、玉計数機制御部２１０は、会員カード１０２から読み取ったカードデータにもとづく会員カード１０２の照会を要求する制御データを、玉計数機通信制御部２１７を介して管理装置（ＴＣ）１００に送信する（Ｓ１０３）。
【００８０】
管理装置（ＴＣ）１００は、玉計数機２００から通知されたカードデータに基づいて会員カード１０２および会員情報の正当性を確認し、管理装置（ＴＣ）１００は、さらに、カードデータから特定される会員カード１０２の会員コードにて会員カード管理テーブル１０５の「カード使用可否フラグ」を参照し、会員カード１０２が使用禁止であるか否かの判断結果を、認証結果として通知する応答データを作成して玉計数機２００に送信する。
【００８１】
会員カード１０２の認証エラーあるいは会員カード１０２が現在使用禁止の状態であることが管理装置（ＴＣ）１００から受信した応答データによって通知されると（Ｓ１０４でＮＯ）、玉計数機制御部２１０は、玉計数機会員カード処理部２１４に対して会員カード１０２の貯留を指示する制御データを出力し（Ｓ１１３）、店員あるいはホール責任者による復旧操作を監視する（Ｓ１１４でＮＯ）。
【００８２】
店員あるいはホール責任者による玉計数機２００の復旧操作が行われ（Ｓ１１４でＹＥＳ）、レシートの発行を必要とする復旧操作がおこなわれた場合（Ｓ１１５でＹＥＳ），玉計数機制御部２１０は、玉計数機レシート発行部２１３に対して計数結果の印刷を指示し（Ｓ１１６）、レシートの発行が不要な復旧操作がおこなわれた場合（Ｓ１１５でＮＯ）、玉計数機計数処理部２１１にて検出される次の計数操作を監視する。
【００８３】
一方、会員カード１０２が認証確認され、なおかつ、会員カード１０２が使用禁止でないことが管理装置（ＴＣ）１００から受信した応答データによって通知されると（Ｓ１０４でＹＥＳ）、玉計数機制御部２１０は、玉計数機操作部２１６から通知される貯玉処理ボタン２０１の押下操作を監視する（Ｓ１０５でＮＯ）。
【００８４】
貯玉処理ボタン２０１の押下操作を検出した場合（Ｓ１０５でＹＥＳ）、玉計数機制御部２１０は、玉計数機計数処理部２１１にて計数された遊技媒体の数と、玉計数機貯玉処理ボタン２０１による貯玉数の指定方法に基づいて、貯玉数を特定するとともに、計数された遊技媒体の数から特定した貯玉数を差し引いた数を計算してレシートの発行の要否を判断する（Ｓ１０６）。
【００８５】
レシートの発行が必要な場合（Ｓ１０６でＹＥＳ）、玉計数機制御部２１０は、レシートに印刷する遊技媒体の数をレシートに印刷する指示を玉計数機レシート発行部２１３に出力する（Ｓ１０７）。
【００８６】
レシートの発行が不要な場合（Ｓ１０６でＮＯ），もしくは、ステップＳ１０７のレシート発行処理が完了すると、玉計数機制御部２１０は、玉計数機会員カード処理部２１４にて読み取ったカードデータおよび貯玉数を含む貯玉の登録を命令する制御データを生成して管理装置（ＴＣ）１００に送信し、管理装置（ＴＣ）１００から通知される貯玉履歴データ１０６への登録結果の通知、さらには、不正貯玉検出条件１１２に該当する貯玉の登録であるか否かの判定結果を通知する応答データの受信待ちに遷移する（Ｓ１０８）。
【００８７】
不正貯玉検出条件１１２に該当した貯玉の登録であると判断された場合、あるいは、貯玉に使用した会員カード１０２を使用禁止にした旨を通知する応答データを管理装置（ＴＣ）１００から受信すると（Ｓ１０９でＹＥＳ）、玉計数機制御部２１０は、玉計数機会員カード処理部２１４に対して、会員カード１０２の貯留を指示する制御データを出力し（Ｓ１１０）、店員あるいはホール責任者による復旧操作を監視する（Ｓ１１１でＮＯ）。
【００８８】
一方、不正貯玉検出条件１１２に該当しない貯玉の登録であり、再計算した貯玉総数等を含む貯玉履歴データ１０６の登録完了を通知する応答データを管理装置（ＴＣ）１００から受信すると（Ｓ１０９でＮＯ）、玉計数機制御部２１０は、会員カード１０２を会員カード挿入口２０５に排出して返却するよう指示する制御データを玉計数機会員カード処理部２１４に出力し、貯玉総数の表示を玉計数機表示処理部２１５に対して指示する（Ｓ１１２）。
【００８９】
なお、図１０に示した処理において、計数したパチンコ玉の端数をレシートとして発行せず、端数の遊技媒体を遊技者に返却するようにしてもよい。
【００９０】
次に、図１０のステップＳ１０８に関する管理装置（ＴＣ）１００での動作について説明する。
【００９１】
図１１は、管理装置（ＴＣ）１００における貯玉登録処理の動作例を示すフローチャートである。
【００９２】
ＴＣ制御部１１０は、玉計数機２００が送信した貯玉の登録を命令する制御データを、ＴＣ通信制御部１１４を介して受信し、受信した制御データから貯玉に関する各種データを抽出し（Ｓ２０１）、抽出したデータに基づく貯玉の履歴データを作成して貯玉履歴データ１０６に登録するようＤＢ管理部１１７に対して指示する（Ｓ２０２）。
【００９３】
ＴＣ制御部１１０は、ＤＢ管理部１１７による貯玉履歴データ１０６に対する貯玉登録処理が完了すると、ＴＣ記憶部１１１の不正貯玉検出条件１１２に設定した「監視制御実施フラグ」を参照して不正貯玉の検出制御を実施するか否かを判断する（Ｓ２０３）。
【００９４】
「監視制御実施フラグ」が有効である場合（Ｓ２０３でＹＥＳ）、ＴＣ制御部１１０は、不正貯玉検出条件１１２に基づいて、貯玉の登録操作に使用された会員カード１０２の会員コードを玉計数機２００から送信されたカードデータから読み出して特定し、特定した会員コードにて特定される会員管理テーブル１０４の登録データの内容をチェックする（Ｓ２０４）。
【００９５】
ステップＳ２０４のチェック結果として、不正貯玉検出条件１１２に該当しなかった場合（Ｓ２０５でＮＯ）、あるいは、「監視制御実施フラグ」が無効である場合（Ｓ２０３でＮＯ）、ＴＣ制御部１１０は、貯玉の登録要求を行った要求元の玉計数機２００に対し、会員カード１０２の返却を指示する制御データを生成して送信する（Ｓ２０７）。
【００９６】
不正貯玉検出条件１１２に該当した場合（Ｓ２０５でＹＥＳ）、ＴＣ制御部１１０は、貯玉の登録操作に使用された会員カード１０２のカード番号にて特定される会員情報を記録した会員カード管理テーブル１０５のレコードに対して、「カード使用可否フラグ」を使用禁止に変更する更新処理を行い（Ｓ２０６）、玉計数機２００に対して挿入された会員カード１０２を貯留し、玉計数機２００での各種操作をロックするよう指示する制御データをＴＣ通信制御部１１４を介して送信する（Ｓ２０８）。
【００９７】
次に、管理装置（ＴＣ）１００における会員カード１０２の認証処理の動作について説明する。
【００９８】
図１２は、管理装置（ＴＣ）１００における会員カード１０２の認証処理の動作例を示すフローチャートである。
【００９９】
ＴＣ制御部１１０は、会員カード１０２の認証を要求する制御データを玉計数機２００から受信すると、受信した制御データにて通知されたカードデータに基づいて会員カード１０２の認証処理を行う（Ｓ３０１）。
【０１００】
会員カード１０２が認証された場合（Ｓ３０１でＹＥＳ）、ＴＣ制御部１１０は、カード番号に対応する会員カード管理テーブル１０５のレコードから「カード使用可否フラグ」の内容を読み出し、会員カード１０２が現在使用禁止の状態か否かを判断する（Ｓ３０２）。
【０１０１】
会員カード１０２が使用禁止の状態でない場合（Ｓ３０２でＮＯ）、ＴＣ制御部１１０は、認証結果（ＯＫ）を通知する応答データを要求元の玉計数機２００に対して送信する（Ｓ３０３）。
【０１０２】
一方、カード認証を行った結果、会員カード１０２が無効であると判断した場合（Ｓ３０１でＮＯ）、あるいは、会員カード１０２は有効であるものの、会員カード１０２が現在使用禁止の状態である場合（Ｓ３０２でＹＥＳ）、ＴＣ制御部１１０は、認証結果（ＮＧ）を通知する応答データを、要求元の玉計数機２００に送信する（Ｓ３０４）。
【０１０３】
なお、会員の有無、カード使用可・不可などの情報を管理装置（ＴＣ）１００から会員カード処理装置４００が送信し、会員カード処理装置４００側で会員カードの各種判定処理を行うようにしてもよい。
【０１０４】
図１３は、会員カード１０２の使用禁止、禁止の解除を行う操作画面の例を示す画面レイアウトである。
【０１０５】
また、この画面は、特別のアクセス権を持つ管理者が遊技システムへログインした場合のみ、更新処理が許可され、特別のアクセス権を持たない者がログインした場合は、更新機能の存在がわからないように表示制御される。
【０１０６】
この操作画面は、会員情報検索ボタン１３ａの押下操作による入力された会員コードによる会員情報の検索機能、あるいは、会員情報検索ボタン１３ｂの押下操作による会員カード１０２の使用が使用禁止されている会員、あるいは、過去に指定回数以上会員カード１０２が使用禁止に設定された会員等、会員検索条件入力部１３ｋにて指定された検索条件による会員情報の検索および、検索結果の一覧表示を行う機能を有する。
【０１０７】
会員情報が一覧表示される表示領域に設けられた会員選択ボタン１３ｆと、使用禁止設定ボタン１３ｄ、あるいは、使用禁止解除ボタン１３ｅの押下操作により、選択された会員に発行した会員カード１０２の使用禁止あるいは使用禁止の解除を行う。
【０１０８】
さらに、図１３に示した画面は、会員情報を一覧表示する領域に設けられた貯玉履歴表示ボタン１３ｃの押下操作により、選択された会員の過去の貯玉の履歴を表示する、例えば図１４のような画面を表示する機能を有する。
【０１０９】
これにより、管理者は、会員カード１０２が使用禁止にされた会員の貯玉に関する履歴内容を確認することができ、会員カード１０２の使用禁止の設定を解除するか否かの判断材料とすることができる。
【０１１０】
また、現在会員カード１０２が使用禁止でない会員の貯玉の履歴内容を確認し、必要であると判断した場合は、会員カード１０２の使用禁止の設定をあらたに行うことも可能である。
【０１１１】
図１５は、管理装置（ＴＣ）１００における会員カード１０２の使用禁止、使用禁止解除処理の動作例を示すフローチャートである。
【０１１２】
ＴＣ制御部１１０は、特別の権限者によるログイン操作、および、会員カードの禁止、禁止解除の設定おこなうメニュー選択操作をＴＣ操作部１１５にて検出すると（Ｓ４０１）、図１３に示した、会員カード１０２の使用禁止、禁止解除を行う操作画面を表示する表示用データを出力する（Ｓ４０２）。
【０１１３】
ステップＳ４０２で表示した操作画面上において、例えば、図１３の画面の会員情報検索ボタン１３ａの押下による会員コードによる会員情報の検索操作がＴＣ操作部１１５にて検出されると（Ｓ４０３で会員コード）、ＴＣ制御部１１０は、入力された会員コードに基づいて会員カード管理テーブル１０５を検索するようＤＢ管理部１１７に指示する（Ｓ４０５）。
【０１１４】
一方、例えば、図１３の操作画面の会員情報検索ボタン１３ｂが押下されたことによる所定の検索条件に基づく会員情報の検索操作がＴＣ操作部１１５にて検出されると（Ｓ４０３で条件検索）、ＴＣ制御部１１０は、例えば、図１３の操作画面の会員検索条件入力部１３ｋにて指定された検索条件にて会員カード管理テーブル１０５を検索するようＤＢ管理部１１７に指示する（Ｓ４０４）。
【０１１５】
ＤＢ管理部１１７は、データベース（ＤＢ）１０３の会員カード管理テーブル１０５、会員管理テーブル１０４にアクセスして指定された条件に該当する会員情報を検索する。
【０１１６】
ＤＢ管理部１１７から会員情報の検索結果が通知されると、ＴＣ制御部１１０は、ＴＣ表示部１１６に対して通知された会員情報を操作画面に出力するよう指示する（Ｓ４０６）。
【０１１７】
ステップＳ４０６の処理によって、操作画面に会員情報が一覧表示された状態で、例えば、ある会員の貯玉の登録データを履歴表示する詳細履歴表示ボタン１３ｃの押下操作を検出すると（Ｓ４０７でＹＥＳ）、ＴＣ制御部１１０は、押下された詳細履歴表示ボタン１３ｃに対応する会員の会員コードを、ＴＣ記憶部１１１に一時的に記憶される表示画面の表示用データと、ＴＣ操作部１１５から通知される入力操作の検出通知データに等に基づいて特定し、特定した会員コードと、画面にて指定された期間に対応する履歴データを貯玉履歴データ１０６にて検索するようＤＢ管理部１１７に指示し、ＴＣ制御部１１０は、ＤＢ管理部１１７から通知された検索結果に基づいて例えば、図１４に示すような、ある会員に関する貯玉の登録状況を履歴表示する画面の表示用データを作成してＴＣ表示処理部１１６に出力する（Ｓ４１１）。
【０１１８】
一方、操作画面において、使用禁止設定ボタン１３ｄ、あるいは、禁止解除設定ボタン１３ｅの押下操作がＴＣ操作部１１５から通知された場合（Ｓ４０８でＹＥＳ）、ＴＣ制御部１１０は、ＴＣ記憶部１１１に一時的に記録される表示中画面の表示用データと、ＴＣ操作部１１５から通知された入力操作の検出データとに基づいて操作画面にて選択された会員の会員コードを特定し、特定した会員コード対応する会員カード管理テーブル１０５の「カード使用可否フラグ」の内容を、使用禁止設定ボタン１３ｄが押下された時は「使用禁止」に更新し、使用禁止解除ボタン１３ｅが押下された時は、「使用禁止解除」の値に更新するようＤＢ管理部１１７に対して指示する（Ｓ４１０）。
【０１１９】
閉じるボタン１３ｈの押下操作による操作画面の終了指示操作をＴＣ操作部１１５にて検出した場合（Ｓ４０９でＹＥＳ）、ＴＣ制御部１１０は、操作画面を終了する制御データをＴＣ表示処理部１１６に出力して、禁止設定解除処理を終了する。
【０１２０】
なお、各会員の会員カード１０２が使用禁止であるか否かの状態を、会員コードを検索キーとして検索して会員情報を表示し、表示した会員情報から処理対象会員を選択して選択した会員の会員カード１０２に対する使用禁止の設定、もしくは、解除ができ、さらに、必要であれば、会員毎の貯玉に関する履歴情報や会員カード使用禁止、使用禁止解除に関する履歴情報を所定の期間で表示できればよく、図１３、図１４に示した各操作画面のレイアウトおよび図１５のフローチャートに示した動作は、これに限定されない。
【０１２１】
また、本実施例では、玉計数機と会員カード処理機が一体化した構成を示したが、これに制限されず、それぞれ別体の装置として構成してもよい。
【実施例２】
【０１２２】
上記実施例１においては、貯玉を不正に登録することを検出するための検出条件を記憶する手段と、記憶した検出条件に該当する貯玉の登録を監視する監視手段を管理装置（ＴＣ）１００側に設けた時の内部構成および動作例を示して説明したが、別の例として、不正貯玉検出条件１１２を記憶する手段と、不正貯玉検出条件１１２に該当する貯玉の登録を監視する監視手段を玉計数機２００側に設けた場合の内部構成および動作例を示して説明する。
【０１２３】
図１６は、図１の遊技システムにおける貯玉登録処理に関する装置の第２の内部構成を示したブロック図である。
【０１２４】
図１６において、玉計数機２００は、実施例１の構成では、管理装置（ＴＣ）１００側で設定して管理していた不正貯玉検出条件１１２を、玉計数機２００の玉計数機記憶部２１２に記録して管理するように構成されている。
【０１２５】
また、玉計数機２００は、不正貯玉検出条件１１２にもとづく貯玉の不正登録を監視して検出する制御プログラムを玉計数機記憶部２１２に記憶し、玉計数機制御部２１０が玉計数機記憶部２１２から制御プログラムを読み出して実行するように構成されている。
【０１２６】
なお、玉計数機記憶部２１２に記録した不正貯玉検出条件１１２の設定、変更は、管理装置（ＴＣ）１００がネットワーク８０を介して処理する構成、あるいは、玉計数機２００側における専用の操作にて設定する構成の何れでもよい。
【０１２７】
次に、図１６に示した玉計数機２００の第２の構成における貯玉登録処理の動作のうち特に、実施例１と異なる部分について説明する。
【０１２８】
玉計数機計数処理部２１１による計数処理、および玉計数機会員カード処理部２１４による会員カード１０２の読み取り動作、および、管理装置（ＴＣ）１００における会員カード１０２の認証処理および応答処理は実施例１と同様の処理を行う。
【０１２９】
玉計数機貯玉処理ボタン２０１の押下操作を玉計数機操作部２１６にて検出した場合、玉計数機制御部２１０は、貯玉数を含む貯玉の登録を命令する制御データを作成してＴＣ制御部１１０に送信する。
【０１３０】
貯玉履歴データ１０６へのデータ登録処理が完了したことを通知する応答データを管理装置（ＴＣ）１００から受信すると、玉計数機制御部２１０は、玉計数機記憶部２１２に記録された不正貯玉検出条件１１２に設定された操作に該当するか否かを判断する。
【０１３１】
不正貯玉検出条件１１２に該当する貯玉である場合、玉計数機制御部２１０は、会員カード管理テーブル１０５にて管理される「カード使用可否フラグ」の内容を使用禁止にする命令を管理装置（ＴＣ）１００に行うための制御データを作成してＴＣ制御部１１０に送信し、ＴＣ制御部１１０は、会員カード１０２を使用禁止に命令する制御データを、ＴＣ通信制御部１１４を介して玉計数機２００から受信し、受信した制御データを解析する。
【０１３２】
ＴＣ制御部１１０は、受信した制御データの解析によって取得した会員コード等から、会員カード管理テーブル１０５の処理対象レコードを特定し、特定したレコードの「カード使用可否フラグ」を使用禁止の状態に更新する命令をＤＢ管理部１１７に出力する。
【０１３３】
会員カード管理テーブル１０５における「カード使用可否フラグ」の更新結果をＤＢ管理部１１７から受信すると、ＴＣ制御部１１０は、処理結果を通知する応答データを要求元の玉計数機２００に送信する。さらに、玉計数機会員カード処理部２１４に対しては、会員カード１０２を貯留する制御データを出力し、ホール責任者あるいは店員による復旧操作を促すランプ点灯、あるいは、インカム等の従業員専用の音声通信装置によるエラー通知等の報知処理、玉計数機表示部２０７へのメッセージ表示処理を行い、店員あるいはホール責任者による復旧操作を監視する。
【０１３４】
一方、不正貯玉検出条件１１２に該当しない貯玉の場合、玉計数機制御部２１０は、会員カード１０２の排出を指示する制御データを玉計数機会員カード処理部２１４に対して出力する。
【０１３５】
なお、本実施例では、玉計数機と会員カード処理機が一体化した装置の例を示したが、これに限定されず、それぞれが別体の装置として構成するようにしてもよい。
【実施例３】
【０１３６】
図１７は、図１に示した遊技システムにおいて、貯メダル登録処理に関連する、管理装置（ＴＣ）１００、会員カード処理装置４００、メダル計数機３００の内部構成を示したブロック図である。
【０１３７】
管理装置（ＴＣ）１００は、実施例１にて説明した不正貯玉検出条件１１２と同様に、貯メダルの不正登録を検出する条件である不正貯メダル検出条件１１３を、ＴＣ記憶部１１１に記憶して管理する。
【０１３８】
メダル計数機３００は、メダル計数機制御部３１０、メダル計数機記憶部３１１、メダル計数機通信制御部３１２、メダル計数機レシート発行部３１３、メダル計数機操作部３１４、メダル計数機表示処理部３１５、メダル計数機計数処理部３１６を具備して構成される。
【０１３９】
メダル計数機制御部３１０は、メダル計数機記憶部３１１に記憶された貯メダル登録処理に関する制御プログラムを読み出して実行し、接続されたメダル計数機通信制御部３１２、メダル計数機レシート発行部３１３、メダル計数機計数処理部３１６をそれぞれ制御するとともに、メダル計数機通信制御部３１２を介して接続される会員カード処理装置４００に対し、会員カード１０２の読み取り命令、会員カード１０２の搬送命令を行う。
【０１４０】
メダル計数機レシート発行部３１３は、メダル計数機制御部３１０の指示により、計数したメダル数などを含む印刷情報を印刷したレシートの印刷および排出制御を行う。
【０１４１】
メダル計数機操作部３１４は、例えば、図１８のメダル計数機３００の外観構成図に示すメダル計数機レシート発行ボタン３０２、貯メダルボタン３０６等の入力装置の操作を検出してメダル計数機制御部３１０に通知する。
【０１４２】
メダル計数機表示処理部３１５は、例えば、図１８の外観構成図に示すメダル計数機表示部３０４等の表示装置に対して、計数したメダル数等をメダル計数機制御部３１０の指示により表示する。
【０１４３】
メダル計数機通信制御部３１２は、会員カード処理装置４００、管理装置（ＴＣ）１００との間それぞれにおいて、各種データの通信制御を行う。
【０１４４】
メダル計数機通信制御部３１２は、例えば、会員カード処理装置４００との間において、カード読み取り制御、カードの搬送制御を命令する制御データの送信を制御し、カード読み取り結果、搬送結果等会員カード処理装置４００から送られる応答データの受信制御を行う。
【０１４５】
また、メダル計数機通信制御部３１２は、管理装置（ＴＣ）１００との間において、貯メダルによる貯メダル情報の登録要求を送信し、管理装置（ＴＣ）１００における貯メダル登録処理の応答データ等を受信してメダル計数機制御部３１０に通知する。
【０１４６】
会員カード処理装置４００は、会員カード処理装置制御部４１０、会員カード処理装置記憶部４１１、会員カード処理装置表示処理部４１２、会員カード処理装置操作部４１３、会員カード処理部４１４、会員カード処理装置通信制御部４１５を具備して構成される。
【０１４７】
会員カード処理装置制御部４１０は、会員カード処理装置記憶部４１１に記憶された制御プログラムを読み出して実行し、会員カード処理装置４００全体を制御する。
【０１４８】
会員カード処理装置通信制御部４１５は、管理装置（ＴＣ）１００、メダル計数機３００との間において各種データの通信制御を行う。
【０１４９】
会員カード処理装置通信制御部４１５は、例えば、管理装置（ＴＣ）１００との間においては、会員カード１０２から読み取ったカードデータ等を含む会員カード１０２の照会を管理装置（ＴＣ）１００に対して要求するカードデータの送信制御を行い、管理装置（ＴＣ）１００から通知される会員カード１０２の認証結果、貯メダル登録処理結果等を通知する応答データの受信制御を行う。
【０１５０】
また、会員カード処理装置通信制御部４１５は、メダル計数機３００との間において、会員カード１０２からカードデータを読み取る指示、会員カード１０２の排出、貯留を指示する制御データを受信して受信内容を会員カード処理装置制御部４１０に通知する受信制御を行い、あるいは、会員カード１０２のカードデータを含む読み取り処理の結果を会員カード処理部４１４から受信してメダル計数機３００に通知する応答データの送信制御を行う。
【０１５１】
会員カード処理装置表示処理部４１２は、会員カード１０２の会員カード挿入口４０２への挿入指示、会員カード挿入口４０２からの会員カード１０２の取り出し指示等、会員カード処理装置４００に関する各操作の指示を、例えば、図１８に示した会員カード処理装置表示部４０１に対して行う。
【０１５２】
会員カード処理装置操作部４１３は、例えば、図１８の外観構成図に示す、貯メダルボタン４０３の入力操作を検出して会員カード処理装置制御部４１０に通知する。
【０１５３】
会員カード処理装置会員カード処理部４１４は、会員カード挿入口４０２に対する会員カード１０２の挿入操作の検出、会員カード挿入口４０２に対する会員カード１０２の排出制御、挿入された会員カード１０２に磁気記録されたカードデータの読み取り処理を行う。
【０１５４】
図１８は、メダル計数機３００、会員カード処理装置４００の例を示す外観構成図である。
【０１５５】
メダル計数機レシート発行口３０１には、計数したメダル数、レシートの発行日時、有効期限等が印刷されたレシートが排出される。
【０１５６】
メダル計数機レシート発行ボタン３０２は、計数したメダル数を記録したレシートの発行をメダル計数機３００に対して指示するための操作ボタンである。
【０１５７】
メダル計数機表示部３０４は、計数したメダルの総数を表示するＬＥＤ等の表示装置である。
【０１５８】
会員カード処理装置表示部４０１は、メダル計数機３００におけるメダル計数、あるいは、貯メダルの登録操作に関連した会員カード１０２の挿入もしくは抜き取りを促す操作案内を表示する。
【０１５９】
会員カード挿入口４０２は、貯メダルの際に会員カード１０２を挿入するための挿入口である。
【０１６０】
貯メダルボタン４０３は、上記実施例１および２の玉計数機２００の貯玉ボタン２０１と同様に、計数したメダル数のうち貯メダルする枚数の指定方法を選択指示するためのボタンである。
【０１６１】
図１９は、不正貯メダル検出条件１１３の例を示す図である。
【０１６２】
不正貯メダル検出条件１１３は、図４に示した不正貯玉検出条件１１２と同様、貯メダルを不正に登録することを検出する条件と、不正貯メダル検出条件１１３に基づく不正登録を監視するか否かを設定する「監視制御実施フラグ」が設定される。
【０１６３】
不正貯メダル検出条件１１３の設定、変更操作は、貯玉登録処理の時の不正貯玉検出条件１１２と同様に、ＴＣ表示処理部１１６にて管理装置（ＴＣ）１００の管理端末の画面に表示される図２０のような設定画面に対するＴＣ操作部１１５における入力操作によって行われるとともに、不正登録をより適正におこなうための調整が行われる。
【０１６４】
図２１は、メダル計数機３００、会員カード処理装置４００の貯メダル登録処理の動作例を示すフローチャートである。
【０１６５】
メダル計数機制御部３１０は、メダル投入口３０５に投入されたメダルの計数処理を開始し（Ｓ７０１）、次いで、会員カード処理装置４００に対し、会員カード１０２の読み取りを指示する制御データを作成して送信する（Ｓ７０２）。
【０１６６】
会員カード処理装置４００は、会員カード１０２の挿入を検出してカードデータの読み取り処理を開始し（Ｓ７０３）、読み取ったカードデータを管理装置（ＴＣ）１００に送信して会員カード１０２の照会を行い、管理装置（ＴＣ）１００から認証結果を受信すると、会員カード処理装置４００は、会員カード１０２の読み取り結果として、貯メダル登録処理に必要なカードデータを含む応答データをメダル計数機制御部３１０に送信する（Ｓ７０４）。
【０１６７】
会員カード１０２の読み取り完了を通知する応答データを会員カード処理装置４００から受信すると（Ｓ７０５でＹＥＳ）、メダル計数機制御部３１０は、例えば、図１８に示す、貯メダルボタン３０６の押下による貯メダル指示操作（Ｓ７０６）、あるいは、メダル計数機レシート発行ボタン３０２の押下によるレシート発行指示操作（Ｓ７０８）等の続く操作を監視する。
【０１６８】
会員カード１０２が認証されなかった場合（Ｓ７０５でＮＯ）、挿入された会員カード１０２を貯留する制御データを会員カード処理装置４００に対して送信する（Ｓ７１２）。
【０１６９】
貯メダルボタン４０３の押下による貯メダルを検出すると（Ｓ７０６でＹＥＳ）、メダル計数機制御部３１０は、指定された貯メダル数等を貯メダル履歴データ１０８に登録する命令を行う制御データを管理装置（ＴＣ）１００に送信する（Ｓ７０７）。
【０１７０】
管理装置（ＴＣ）１００は、メダル計数機３００から受信した貯メダル情報に基づいて、貯メダル履歴データ１０８に対する貯メダルの登録処理を行い、不正貯メダル検出条件１１３に該当する貯メダルであるかを判断し、判断結果をメダル計数機３００に送信する。
【０１７１】
なお、管理装置（ＴＣ）１００は、実施例１の貯玉登録処理の動作にて示したように、不正貯メダル検出条件１１３に設定した、不正貯メダル監視フラグの設定内容に基づいて、不正貯メダル検出条件１１３に該当する貯メダルの登録処理を監視するか否かを判断する動作にしてもよい。
【０１７２】
管理装置（ＴＣ）１００から受信した応答データに会員カード１０２の使用禁止の指示がある場合（Ｓ７１０でＹＥＳ）、メダル計数機制御部３１０は、挿入された会員カード１０２を貯留する制御データを会員カード処理装置４００に対して送信する（Ｓ７１２）。
【０１７３】
一方、貯メダル履歴データ１０８に対する貯メダルの登録処理が完了し、登録データを含む貯メダル履歴データ１０８の該当レコードをチェックした結果、不正貯メダル検出条件１１３に該当しないことを通知する応答データを管理装置（ＴＣ）１００から受信すると（Ｓ７１０でＮＯ）、メダル計数機制御部３１０は、会員カード処理装置４００に対して会員カード１０２の返却を指示する制御データを送信する（Ｓ７１１）。
【０１７４】
会員カード処理装置４００は、メダル計数機制御部３１０から会員カード１０２の搬送を命令する制御データを受信すると受信したデータの解析を行う（Ｓ７１３）。
【０１７５】
会員カード１０２の返却を指示する制御データを受信した場合（Ｓ７１４でＹＥＳ）、会員カード処理装置４００は、会員カード挿入口４０２に会員カード１０２を排出する（Ｓ７１５）。
【０１７６】
一方、メダル計数機制御部３１０から受信した制御データによって会員カード１０２の貯留指示があった場合（Ｓ７１４でＮＯ）、会員カード処理装置４００は、会員カード１０２の貯留を指示する制御データを会員カード処理装置会員カード処理部４１４に対して出力し（Ｓ７１６）、店員あるいはホール責任者などによる復旧操作を監視する（Ｓ７１７でＮＯ）。
【０１７７】
店員による復旧操作が完了した場合（Ｓ７１７でＹＥＳ）、会員カード処理装置４００は、レレシートの発行が必要か否かを判断し（Ｓ７１８）、レシートの発行が必要な場合（Ｓ７１８でＹＥＳ）、メダル計数機計数処理部３１６にて計数した結果をレシートに印刷するための制御データを作成してメダル計数機レシート発行部３１３に出力し、メダル計数機レシート発行部２１７は、印刷したレシートをメダル計数機レシート発行口３０１に排出する（Ｓ７１９）。
【０１７８】
再度、メダル計数機３００のステップＳ７０６の処理に戻り、メダル計数機レシート発行ボタン３０２の押下操作を検知した場合（Ｓ７０８でＹＥＳ）、メダル計数機制御部３１０は、メダル計数機計数処理部３１６にて計数した結果をレシートに印刷するための制御データを作成してメダル計数機レシート発行部３１３に出力し、メダル計数機レシート発行部２１７は、印刷したレシートをメダル計数機レシート発行口３０１に排出する（Ｓ７０９）。
【０１７９】
なお、図２１に示した貯メダル登録処理の動作では、メダル計数機３００が中心となって会員カード処理装置４００が制御される例を示したが、これとは逆に、会員カード処理装置４００が中心となってメダル計数機３００を制御した貯メダル登録処理を行う構成、および動作にしてもよい。
【０１８０】
また、実施例２のように、計数機側で認証を行うようにしてもよい。
【０１８１】
また、実施例１、実施例２に示した玉計数機２００のように、会員カード処理装置４００とメダル計数機３００を一台の装置として構成して貯メダル登録処理を制御するようにしてもよい。
【０１８２】
また、会員カード１０２の種類は、磁気記録式のカード以外に、ＩＣカードを採用し、会員カード処理装置４００あるいはメダル計数機３００のカード処理部にＩＣカード読み取り手段を設けてＩＣチップ内のデータを読み取るように構成してもよい。
【０１８３】
また、これまでに説明した実施例１から実施例３にて説明した不正貯玉検出条件１１２および不正貯メダル検出条件１１３は、検出条件に該当した時の会員カード１０２の取扱いを複数パターン設け、各パターンの条件を設定して監視できるようにしてもよい。
【０１８４】
また、上記実施例において、貯玉、貯メダルを不正に登録した際に使用した会員カードの遊技システムにおける取扱いは、全面的に禁止してもよいし、貯玉、貯メダルの登録、引き出し以外の、例えば、遊技台の遊技や、台間機による遊技媒体の貸し出し等においては使用を許可するようにしてもよい。
【０１８５】
本件は会員カードを用いての説明を行ったが、会員カード以外に、ＩＣチップ、指紋照合などのバイオメトリクスを用いてもよい。
【産業上の利用可能性】
【０１８６】
本発明の遊技システムは、貯玉、貯メダル操作を、会員カードを使用した操作によって登録して管理するホールの遊技システムに利用可能であり、特に、貯玉、貯メダルの不正登録の防止対策に有効である。
【図面の簡単な説明】
【０１８７】
【図１】本発明の遊技システムの全体構成図
【図２】貯玉登録処理に関する管理装置、玉計数機の内部構成を示すブロック図
【図３】玉計数機の概要を示す外観構成図
【図４】不正貯玉検出条件の例を示す図
【図５】不正貯玉検出条件の設定画面の例を示す画面レイアウト
【図６】会員管理テーブルにて管理する項目および登録データの一例を示す図
【図７】会員カード管理テーブルにて管理する項目および登録データの一例を示す図
【図８】遊技履歴データに記録されるデータ項目と記録データの一例を示す図
【図９】貯玉履歴データに記録されるデータ項目と記録データの一例を示す図
【図１０】玉計数機における貯玉登録処理の動作例を示すフローチャート
【図１１】管理装置における貯玉登録処理の動作例を示すフローチャート
【図１２】管理装置における会員カードの認証処理の動作例を示すフローチャート
【図１３】会員カードの使用禁止、使用禁止解除の設定を行う操作画面の例を示す画面レイアウト
【図１４】貯玉履歴データ表示画面の例を示す画面レイアウト
【図１５】会員カードの使用禁止、使用禁止解除処理の動作例を示すフローチャート
【図１６】貯玉登録処理に関する玉計数機の第２の内部構成の例を示すブロック図
【図１７】メダル計数機、会員カード処理装置の内部構成を示すブロック図
【図１８】メダル計数機、会員カード処理装置の概要を示す外観構成図
【図１９】不正貯メダル検出用設定条件を示す図
【図２０】不正貯メダル検出用設定条件の設定画面を示す図
【図２１】メダル計数機、カード処理装置における貯メダル登録処理の動作例を示すフローチャート
【符号の説明】
【０１８８】
１００    管理装置（ＴＣ）
１０１    会員カード発行機
１０２    会員カード
１０３    データベース（ＤＢ）
１０４    会員管理テーブル
１０５    会員カード管理テーブル
１０６    貯玉履歴データ
１０７    遊技履歴データ
１０８    貯メダル履歴データ
１１０    ＴＣ制御部
１１１    ＴＣ記憶部
１１２    不正貯玉検出条件
１１３    不正貯メダル検出条件
１１４    ＴＣ通信制御部
１１５    ＴＣ操作部
１１６    ＴＣ表示処理部
１１７    ＤＢ管理部
２００    玉計数機
２０１    玉計数機貯玉処理ボタン
２０３    玉計数機レシート発行口
２０５    玉計数機会員カード挿入口
２０６    玉返却口
２０７    玉計数機表示部
２０８    ホッパー
２１０    玉計数機制御部
２１１    玉計数機計数処理部
２１２    玉計数機記憶部
２１３    玉計数機レシート発行部
２１４    玉計数機会員カード処理部
２１５    玉計数機表示処理部
２１６    玉計数機操作部
２１７    玉計数機通信制御部
３００    メダル計数機
３０１    メダル計数機レシート発行口
３０３    メダル返却口
３０４    メダル計数機表示部
３０５    メダル投入口
３１０    メダル計数機制御部
３１１    メダル計数機記憶部
３１２    メダル計数機通信制御部
３１３    メダル計数機レシート発行部
３１４    メダル計数機操作部
３１５    メダル計数機表示処理部
３１６    メダル計数機計数処理部
４００    会員カード処理装置
４０１    会員カード処理装置表示部
４０２    会員カード挿入口
４０３    貯メダルボタン
４１０    会員カード処理装置制御部
４１１    会員カード処理装置記憶部
４１２    会員カード処理装置表示処理部
４１３    会員カード処理装置操作部
４１４    会員カード処理装置会員カード処理部
４１５    会員カード処理装置通信制御部
５０    パチンコ島
５１    パチンコ台
５２    再プレイ玉貸機
６０    パチスロ島
６１    パチスロ機
６２    再プレイメダル貸機
７０    島コントローラ
８０    ネットワーク
９０    景品管理装置
９１    バーコードスキャナ
９２    景品自動払出し機
１３ａ    会員情報検索ボタン
１３ｂ    会員情報検索ボタン
１３ｃ    詳細履歴表示ボタン
１３ｄ    使用禁止設定ボタン
１３ｅ    使用禁止解除ボタン
１３ｆ    会員選択ボタン  
１３ｈ    閉じるボタン
１３ｋ    会員検索条件入力部
【図１】
2006167029.tif 000003
【図２】
2006167029.tif 000004
【図３】
2006167029.tif 000005
【図４】
2006167029.tif 000006
【図５】
2006167029.tif 000007
【図６】
2006167029.tif 000008
【図７】
2006167029.tif 000009
【図８】
2006167029.tif 000010
【図９】
2006167029.tif 000011
【図１０】
2006167029.tif 000012
【図１１】
2006167029.tif 000013
【図１２】
2006167029.tif 000014
【図１３】
2006167029.tif 000015
【図１４】
2006167029.tif 000016
【図１５】
2006167029.tif 000017
【図１６】
2006167029.tif 000018
【図１７】
2006167029.tif 000019
【図１８】
2006167029.tif 000020
【図１９】
2006167029.tif 000021
【図２０】
2006167029.tif 000022
【図２１】
2006167029.tif 000023